(57)【要約】【要  約】【課  題】  洗髪時の仰向け姿勢の苦痛を軽減し、快適に洗髪を受けることのできるシャンプー台を実現する。【解決手段】  シャンプーボウル１のネイプクッション４部分に、一定の周期で内部に空気を送り込み、また排出することにより周期的にネイプを持ち上げたり沈ませたりすることのできるマッサージ装置の伸縮体５を内蔵させる。【選択図】    図２
0003102063.tif 000002
【実用新案登録請求の範囲】
【請求項１】
一定の周期で内部に空気を送り込み、また排出することにより周期的に上部を持ち上げたり沈ませたりすることのできる伸縮体（５）と、この伸縮体（５）内に空気の送り込み、排出を行う給排気ユニット（７）と、前記伸縮体（５）とこの給排気ユニット（７）とを接続したホース（６）とからなるマッサージ装置。
【請求項２】
前記の一定の周期が、前記給排気ユニット（７）に備えたタイマにより目的に応じて任意に変更可能である請求項１に記載のマッサージ装置。
【請求項３】
シャンプーボウル（１）のネイプクッション（４）部分に、請求項１または２に記載のマッサージ装置を備えてなる洗髪用のシャンプー台。
【請求項４】
ネイプクッション（４）部分にさらに発熱体を内蔵させた請求項１または２に記載のシャンプー台。
【考案の詳細な説明】
【技術分野】
【０００１】
本発明は、快適なマッサージ効果の得られるマッサージ装置、およびネイプクッション部分にこのマッサージ装置を備え、美容院における洗髪に好適なシャンプー台に関する。
【背景技術】
【０００２】
美容院においては、客が仰向けになり、台の縁にネイプ（首筋）部を載せて洗髪するのが一般的である。図４は従来一般的なシャンプー台を示す側面図、図５は正面図で、１はシャンプーボウル、２はシャワーノズル、３は温水栓、４はネイプ部を載せる部分に装着されるネイプクッションである。ネイプ部を載せるシャンプーボウル１の縁部はやや低くなっており、陶器製や金属製のシャンプーボウルの冷たさや硬さを感じさせないため、ゴムあるいは塩ビ樹脂などでできた取り外し可能なネイプクッション４が嵌めてある。ネイプクッション４は必要に応じて取り外して洗浄できる。
【０００３】
洗髪に要する時間は髪の長さや洗う目的等によって多少異なるものの、10分ないし15分程度である。この間ずっと仰向けのまま頭を下げた状態でいるため人によってはかなり苦痛である。頸椎部には脳へ血液を送る動脈が走っており、これを長時間圧迫することになるので、洗髪を終わって起き上がったときに目眩を訴える人もある。
【考案の開示】
【考案が解決しようとする課題】
【０００４】
本考案は、このような洗髪時の苦痛を軽減し、洗髪時間を快適に過ごすことのできるマッサージ装置を備えたシャンプー台を実現することを目的とする。
【課題を解決するための手段】
【０００５】
本考案は、一定の周期で内部に空気を送り込み、また排出することにより周期的にネイプを持ち上げたり沈ませたりすることのできる伸縮体と、この伸縮体内に空気の送り込み、排出を行う給排気ユニットと、前記伸縮体とこの給排気ユニットとを接続したホースとからなるマッサージ装置であり、望ましくは前記の一定の周期が、前記給排気ユニットに備えたタイマにより目的に応じて任意に変更可能であり、あるいはまたシャンプーボウルのネイプクッション部分に前記のマッサージ装置を備えてなる洗髪用のシャンプー台であり、あるいはネイプクッション部分にさらに発熱体を内蔵させた前記のシャンプー台である。
【考案の効果】
【０００６】
本考案によれば、ネイプクッション部の繰り返し昇降動によるマッサージ効果により、洗髪中の苦痛が和らげられ、洗髪時間を快適に過ごすことができるという、すぐれた効果を奏する。  
【考案を実施するための最良の形態】
【０００７】
本考案のマッサージ装置をシャンプー台に備えるようにした一実施例を図面により説明する。シャンプー台そのものは図４、５に示した従来のものと同様であり、相違はネイプクッション部分にマッサージ装置を備えた点にある。図１は実施例のネイプクッション部を示す側方向からの断面図、図２は正面方向からの断面図で、５はネイプクッション４とシャンプーボウル１の中間に挿入された袋状の伸縮体、６はこれに接続される取り外し可能なホースである。
【０００８】
伸縮体５はゴム等の弾性体でできた中空の袋状構造で、空気を送り込まれることによりふくらみ、空気を排出するとしぼむ。洗髪中、ネイプを載せているときに伸縮体５がふくらめばネイプは持ち上げられ、しぼめば沈むから、空気の送り込み、排出を周期的に行うようにすると一定のリズムで昇降動作が繰り返され、マッサージ効果が生まれる。
【０００９】
図３は伸縮体５、これを作動させる給排気ユニット７、これらを接続するホース６よりなるマッサージ装置の構成図である。給排気ユニット７の内部には逆止弁Ｖ1、制御弁Ｖ2、モータＭ、ポンプＰ、コントローラＣ等が組み込まれており、コントローラＣからの指令によりモータＭが作動すれば伸縮体５に空気が送られ、またコントローラＣからの指令で制御弁Ｖ2が切り替わると伸縮体５内の空気が排出される。制御弁Ｖ2の排気ポートを絞り弁付きとするか、排気系統に絞り弁を別個に設けることにより空気の排出時間を調整できる。またコントローラＣ内に備えるタイマにより伸縮の周期を任意に変更することができるので、予め例えば２種類の周期を設定し、10秒周期のスリープモード、５秒周期のリラクゼーションモード等を押しボタンによるワンタッチ操作で選択できるようにするとよい。モータＭはごく小出力であるから、電源は乾電池でもよいし、コンセントでつなぎ込んでもよい。この程度の小型のエアポンプと伸縮体は、例えば家庭用の血圧測定器において、腕に巻き付けて動脈を圧迫する部分として市販されているものがそのまま使用できる。
【００１０】
この実施例では、従来からあるネイプクッション４の裏側に新たに伸縮体５を挿入するように構成している。ネイプクッション４を単独に取り外して洗浄するためにはこの方が便利であるが、本考案の目的からすると、ネイプクッション４と伸縮体５を一体に構成してもかまわない。
【００１１】
なお、本考案の伸縮体５の上面を面状発熱体で構成するか、あるいは伸縮体５とネイプクッション４との中間に面状発熱体を挿入して温度制御することにより、ネイプクッション４に温度調整機能を付与し、一層快適なシャンプー台とすることも可能である。
【００１２】
なお本考案を実施するシャンプー台は、図４、５に示したような客の側面に立って洗髪を行ういわゆるサイドシャンプー用のシャンプー台のみならず、客の後方から洗髪を行うバックシャンプー用のスタンド形のシャンプー台でもよく、あらゆる既設のシャンプー台に容易に適用できる。
【００１３】
以上マッサージ装置をシャンプー台に備えるようにした実施例で説明したが、本考案のマッサージ装置を洋式のバスタブの縁部にセットし、入浴時に首部や脚部をマッサージするようにしても快適なマッサージ効果が得られる。
【図面の簡単な説明】
【００１４】
【図１】本考案のマッサージ装置を備えたシャンプー台の要部を示す側面方向からの断面図である。
【図２】同じく本考案のマッサージ装置を備えたシャンプー台の要部を示す正面方向からの断面図である。
【図３】本考案のマッサージ装置の構成を示す系統図である。
【図４】従来一般的なシャンプー台を示す側面図である。
【図５】同じく従来一般的なシャンプー台を示す正面図である。
【符号の説明】
【００１５】
１    シャンプーボウル
２    シャワーノズル
３    温水栓
４    ネイプクッション
５    伸縮体
６    ホース
７    給排気ユニット
Ｃ    コントローラ
Ｍ    モータ
Ｐ    ポンプ
Ｖ1      逆止弁
Ｖ2      制御弁
【図１】
0003102063.tif 000003
【図２】
0003102063.tif 000004
【図３】
0003102063.tif 000005
【図４】
0003102063.tif 000006
【図５】
0003102063.tif 000007